【手続補正書】
【提出日】平成27年2月18日(2015.2.18)
【手続補正１】
【補正対象書類名】明細書
【補正対象項目名】００１２
【補正方法】変更
【補正の内容】
【００１２】
上記目的を達成するために、本発明の撮像装置は、複数の画素が２次元に配置され、被写体像を光電変換して画像信号を出力する第１の撮像手段と、前記第１の撮像手段で生成された第１の画像信号を現像する第１の画像処理手段と、前記第１の画像信号に対して、加算及び間引きの少なくともいずれか一方を行って画素数を減らし、該画素数を減らした第２の画像信号を現像する第２の画像処理手段と、画像信号を記録する記録手段と、前記第１の撮像手段の画素数よりも少ない画素数の表示手段を有し、静止画撮影が指示された場合に、前記記録手段は前記第１の画像処理手段によって現像された画像信号を記録し、前記表示手段は前記第２の画像処理手段によって現像された画像信号を用いて表示を行うことを特徴とする。
【手続補正２】
【補正対象書類名】明細書
【補正対象項目名】００１７
【補正方法】変更
【補正の内容】
【００１７】
撮像素子１０３上に結像した被写体像は撮像素子１０３の画素部にて光電変換され、電気信号として読み出される。撮像素子１０３からの読み出し形態は撮像装置の動作モードによって異なっている。例えば、静止画撮影前にフォーカス、露出、フレーミング等を決定するためのスルー画モードでは撮像素子１０３上で複数画素を加算し、あるいは間引いて画素数を少なく変換して、毎秒６０フレーム（予め決められた周期）で読み出しが行われる。一方、静止画撮影モードでは撮像素子１０３の全ての画素のデータを記録画像に適用するため、画素加算および間引きなどの処理は行わずに全画素読み出しが行われる。全画素読み出し時には読み出す画素数が多いためフレームレートは低下する。
【手続補正３】
【補正対象書類名】明細書
【補正対象項目名】００５０
【補正方法】変更
【補正の内容】
【００５０】
シャッターボタン１０６が押されていないとき及び半押し状態のときに撮影準備モードでの動作となる。静止画撮影が開始される前は可動ミラー３１１がレンズユニット１０１から撮像素子１０３への光路中に挿入され、レンズユニット１０１からの光束を二次元露出検出素子４１２に投影する。二次元露出検出素子４１２から読み出された画像信号は露出抽出機能付き現像回路４１０にて所定の現像処理が施され、露出情報が抽出される。露出抽出機能付き現像回路４１０にて抽出された露出情報は制御回路１０５に供給され、絞り開口、蓄積時間、素子感度などの露出条件が決定される。被写体検出回路４１３は、入力された画像信号から人物の顔を検出する機能や、被写体として指定された領域と相関の高い領域を後のフレームから抽出することで被写体の追尾を行う機能を実行する。
【手続補正４】
【補正対象書類名】特許請求の範囲
【補正対象項目名】全文
【補正方法】変更
【補正の内容】
【特許請求の範囲】
【請求項１】
複数の画素が２次元に配置され、被写体像を光電変換して画像信号を出力する第１の撮像手段と、
前記第１の撮像手段で生成された第１の画像信号を現像する第１の画像処理手段と、
前記第１の画像信号に対して、加算及び間引きの少なくともいずれか一方を行って画素数を減らし、該画素数を減らした第２の画像信号を現像する第２の画像処理手段と、
画像信号を記録する記録手段と、
前記第１の撮像手段の画素数よりも少ない画素数の表示手段を有し、
静止画撮影が指示された場合に、前記記録手段は前記第１の画像処理手段によって現像された画像信号を記録し、前記表示手段は前記第２の画像処理手段によって現像された画像信号を用いて表示を行うことを特徴とする撮像装置。
【請求項２】
前記静止画撮影が指示されていない場合に、前記第１の撮像手段の前記複数の画素から、加算及び間引きの少なくともいずれか一方を行って１フレーム分の画像信号を予め決められた周期で出力する部分読み出しを行うように、前記第１の撮像手段を制御する制御手段をさらに有することを特徴とする請求項１に記載の撮像装置。
【請求項３】
前記静止画撮影が指示されていない場合に、前記第１の画像処理手段は前記部分読み出しによって出力された第３の画像信号を現像し、前記表示手段は前記第１の画像処理手段によって現像された画像信号を用いて表示を行うことを特徴とする請求項２に記載の撮像装置。
【請求項４】
前記静止画撮影が指示されていない場合に、前記第２の画像処理手段は前記部分読み出しによって出力された第３の画像信号を現像し、前記表示手段は前記第２の画像処理手段によって現像された画像信号を用いて表示を行うことを特徴とする請求項２に記載の撮像装置。
【請求項５】
前記第２の画像処理手段は、前記第２の画像処理手段によって現像された画像信号に基づいて露出及び合焦の状態を検出することを特徴とする請求項４に記載の撮像装置。
【請求項６】
前記第１の撮像手段の画素数よりも少ない数の複数の画素が２次元に配置され、被写体像を光電変換して１フレーム分の画像信号を予め決められた周期で出力する画像信号を出力する第２の撮像手段と、
前記第１の撮像手段と前記第２の撮像手段のいずれか一方に被写体像を導く光学素子と、
前記静止画撮影が指示された場合に前記光学素子により前記第１の撮像手段に被写体像を導くと共に前記第１の撮像手段から画像信号を出力し、前記静止画撮影が指示されていない場合に前記光学素子により前記第２の撮像手段に被写体像を導くと共に前記第２の撮像手段から画像信号を出力するように制御する制御手段とを有し、
前記静止画撮影が指示されていない場合に、前記第２の画像処理手段は前記第２の撮像手段から出力された第３の画像信号を現像し、前記表示手段は前記第２の画像処理手段によって現像された画像信号を用いて表示を行うことを特徴とする請求項１に記載の撮像装置。
【請求項７】
複数の画素が２次元に配置され、被写体像を光電変換して画像信号を出力する第１の撮像手段と、
前記第１の撮像手段の画素数よりも少ない数の複数の画素が２次元に配置され、被写体像を光電変換して１フレーム分の画像信号を予め決められた周期で出力する画像信号を出力する第２の撮像手段と、
前記第１の撮像手段と前記第２の撮像手段のいずれか一方に被写体像を導く光学素子と、
入力した画像信号を現像する第１の画像処理手段と、
入力した画像信号を現像する第２の画像処理手段と、
画像信号を記録する記録手段と、
画像信号から被写体を検出する被写体検出手段と、
静止画撮影が指示された場合に前記光学素子により前記第１の撮像手段に被写体像を導くと共に前記第１の撮像手段から画像信号を出力し、前記静止画撮影が指示されていない場合に前記光学素子により前記第２の撮像手段に被写体像を導くと共に前記第２の撮像手段から画像信号を出力するように制御する制御手段とを有し、
前記静止画撮影が指示された場合に、前記第１の画像処理手段は前記第１の撮像手段で生成された第１の画像信号を現像し、前記第２の画像処理手段は前記第１の画像信号に対して加算及び間引きの少なくともいずれか一方を行って画素数を減らした第２の画像信号を現像し、前記記録手段は前記第１の画像処理手段によって現像された画像信号を記録し、前記被写体検出手段は前記第２の画像処理手段によって現像された画像信号を用いて被写体を検出し、
前記静止画撮影が指示されていない場合に、前記第２の画像処理手段は前記第２の撮像手段から出力された第３の画像信号を現像し、前記被写体検出手段は前記第２の画像処理手段によって現像された画像信号を用いて被写体を検出することを特徴とする撮像装置。
【請求項８】
前記第２の画像処理手段は、前記第２の画像処理手段によって現像された画像信号に基づいて露出の状態を検出することを特徴とする請求項７に記載の撮像装置。
【請求項９】
複数の画素が２次元に配置され、被写体像を光電変換して画像信号を出力する第１の撮像手段と、
前記第１の撮像手段で生成された第１の画像信号を現像する第１の画像処理手段と、
前記第１の画像信号に対して、加算及び間引きの少なくともいずれか一方を行って画素数を減らし、該画素数を減らした第２の画像信号を現像する第２の画像処理手段と、
画像信号を記録する記録手段と、
前記第１の撮像手段の画素数よりも少ない画素数の表示手段を有する撮像装置の制御方法であって、
静止画撮影が指示された場合に、前記記録手段に前記第１の画像処理手段によって現像された画像信号を記録させ、前記表示手段に前記第２の画像処理手段によって現像された画像信号を用いて表示を行わせる工程を有することを特徴とする撮像装置の制御方法。
【請求項１０】
前記静止画撮影が指示されていない場合に、前記第１の撮像手段の前記複数の画素から、加算及び間引きの少なくともいずれか一方を行って１フレーム分の画像信号を予め決められた周期で出力する部分読み出しを行う工程をさらに有することを特徴とする請求項９に記載の撮像装置の制御方法。
【請求項１１】
前記静止画撮影が指示されていない場合に、前記第１の画像処理手段に前記部分読み出しによって出力された画像信号を現像させ、前記表示手段に前記第１の画像処理手段によって現像された画像信号を用いて表示を行わせる工程をさらに有することを特徴とする請求項１０に記載の撮像装置の制御方法。
【請求項１２】
前記静止画撮影が指示されていない場合に、前記第２の画像処理手段に前記部分読み出しによって出力された画像信号を現像させ、前記表示手段に前記第２の画像処理手段によって現像された画像信号を用いて表示を行わせる工程をさらに有することを特徴とする請求項１０に記載の撮像装置の制御方法。
【請求項１３】
前記撮像装置は、さらに、
前記第１の撮像手段の画素数よりも少ない数の複数の画素が２次元に配置され、被写体像を光電変換して１フレーム分の画像信号を予め決められた周期で出力する画像信号を出力する第２の撮像手段と、
前記第１の撮像手段と前記第２の撮像手段のいずれか一方に被写体像を導く光学素子とを有し、
静止画撮影が指示された場合に前記光学素子により前記第１の撮像手段に被写体像を導くと共に前記第１の撮像手段から画像信号を出力し、前記静止画撮影が指示されていない場合に前記光学素子により前記第２の撮像手段に被写体像を導くと共に前記第２の撮像手段から画像信号を出力するように制御する工程と、
前記静止画撮影が指示されていない場合に、前記第２の画像処理手段に前記第２の撮像手段から出力された第３の画像信号を現像させ、前記表示手段に前記第２の画像処理手段によって現像された画像信号を用いて表示を行わせる工程とを有することを特徴とする請求項９に記載の撮像装置の制御方法。
【請求項１４】
複数の画素が２次元に配置され、被写体像を光電変換して画像信号を出力する第１の撮像手段と、
前記第１の撮像手段の画素数よりも少ない数の複数の画素が２次元に配置され、被写体像を光電変換して１フレーム分の画像信号を予め決められた周期で出力する画像信号を出力する第２の撮像手段と、
前記第１の撮像手段と前記第２の撮像手段のいずれか一方に被写体像を導く光学素子と、
入力した画像信号を現像する第１の画像処理手段と、
入力した画像信号を現像する第２の画像処理手段と、
画像信号を記録する記録手段と、
画像信号から被写体を検出する被写体検出手段を有する撮像装置の制御方法であって、
静止画撮影が指示された場合に、前記光学素子により前記第１の撮像手段に被写体像を導くと共に前記第１の撮像手段から画像信号を出力し、前記静止画撮影が指示されていない場合に前記光学素子により前記第２の撮像手段に被写体像を導くと共に前記第２の撮像手段から画像信号を出力するように制御する工程と、
前記静止画撮影が指示された場合に、前記第１の画像処理手段に前記第１の撮像手段で生成された第１の画像信号を現像させ、前記第２の画像処理手段に前記第１の画像信号に対して加算及び間引きの少なくともいずれか一方を行って画素数を減らした第２の画像信号を現像させ、前記記録手段に前記第１の画像処理手段によって現像された画像信号を記録させ、前記被写体検出手段に前記第２の画像処理手段によって現像された画像信号を用いて被写体を検出させる工程と、
前記静止画撮影が指示されていない場合に、前記第２の画像処理手段に前記第２の撮像手段から出力された第３の画像信号を現像させ、前記被写体検出手段に前記第２の画像処理手段によって現像された画像信号を用いて被写体を検出させることを特徴とする撮像装置の制御方法。
【手続補正５】
【補正対象書類名】図面
【補正対象項目名】図１
【補正方法】変更
【補正の内容】
【図１】
2014158237.tif 000001
【手続補正６】
【補正対象書類名】図面
【補正対象項目名】図３
【補正方法】変更
【補正の内容】
【図３】
2014158237.tif 000002
【手続補正７】
【補正対象書類名】図面
【補正対象項目名】図５
【補正方法】変更
【補正の内容】
【図５】
2014158237.tif 000003
【手続補正８】
【補正対象書類名】図面
【補正対象項目名】図６
【補正方法】変更
【補正の内容】
【図６】
2014158237.tif 000004
【手続補正９】
【補正対象書類名】図面
【補正対象項目名】図７
【補正方法】変更
【補正の内容】
【図７】
2014158237.tif 000005